(57)【要約】【課題】携帯情報端末において、ユーザによる操作の手間を軽減させる。【解決手段】リモコン（携帯情報端末）１は、ワンセグチューナ１３と、表示装置１２と、無線ＬＡＮによるデータ通信を行う無線ＬＡＮ送受信部１６と、赤外線送信部１７と、各種情報を記憶するメモリ１４と、タッチパネル１８と、装置各部を制御する制御用マイコン１１とを備える。メモリ１４には、装置の動作モードの実行に必要なプログラムやデータが記憶されている。動作モードには、ワンセグチューナ１３を用いて受信したＴＶ番組を表示装置１２に表示するＴＶ番組モードと、無線ＬＡＮ送受信部１６を用いて外部機器と通信を行う無線ＬＡＮ通信モードと、メモリ１４に記憶された操作情報に基づき、赤外線送信部１７を用いて外部機器に指示を行うリモコンモードとが含まれている。制御用マイコン１１は、これらの動作モードを選択的に切替えて動作する。【選択図】図２
2008294911.tif 000002
【特許請求の範囲】
【請求項１】
テレビジョン（以下、ＴＶという）番組を含む地上波デジタル放送を受信するデジタルチューナと、
無線ＬＡＮによるデータ通信を行う無線ＬＡＮ通信手段と、
外部装置に対して指示情報を含む赤外線信号を送信するための赤外線信号送信手段と、
ユーザによって操作され、装置に指示を行うための操作手段と、
前記ＴＶ番組の映像や各種メッセージ等を表示する表示手段と、
前記赤外線信号によって操作される複数の外部機器のそれぞれに対して行われる操作の種類と各操作に対応した赤外線信号との対応関係を表す情報（操作情報）や、装置の各種動作モードの実行に必要なプログラムやデータが記憶された記憶手段と、
装置各部を制御する制御手段とを備えた携帯情報端末において、
前記動作モードには、前記デジタルチューナを用いて受信したＴＶ番組を前記表示手段に表示するＴＶ番組モードと、前記無線ＬＡＮ通信手段を用いて外部機器と通信を行う無線ＬＡＮ通信モードと、前記記憶手段に記憶された操作情報に基づき、前記赤外線送信手段を用いて外部機器に指示を行うリモコンモードとが含まれ、
前記操作手段は、前記動作モードの切替えを指示するための切替ボタンを有し、
ユーザにより前記切替ボタンが操作されると、前記制御手段が前記動作モードを選択的に切替えて動作することを特徴とする携帯情報端末。
【請求項２】
前記表示手段に設けられ、ユーザによる操作を検出するタッチパネルをさらに備え、
前記切替ボタンは、前記タッチパネルに設けられていることを特徴とする請求項１に記載の携帯情報端末。
【請求項３】
前記操作手段は、前記切替ボタンに加えて、装置に各種指示を行うための複数の操作ボタンをさらに有し、
前記複数の操作ボタンは、前記タッチパネルに設けられ、
前記制御手段は、前記動作モードに応じて、前記複数の操作ボタンのそれぞれの指示内容を変化させることを特徴とする請求項２に記載の携帯情報端末。
【発明の詳細な説明】
【技術分野】
【０００１】
本発明は、携帯情報端末に関し、特に複数の動作モードを有する携帯情報端末に関する。
【背景技術】
【０００２】
近年、ワンセグチューナが設けられ、ワンセグＴＶを視聴可能な携帯情報端末（例えば、特許文献１参照）や、ネットワークプレーヤを指示するための無線ＬＡＮ通信機能が設けられた携帯情報端末（例えば、特許文献２参照）などが普及している。これらの機能は端末ごとに独立しているため、ユーザは、用途に応じて端末を交換して使用する必要があり、ユーザにとって手間が掛かるという問題がある。
【０００３】
また、従来から、複数の家電機器のそれぞれに対して行われる操作情報が記憶され、１台で複数の家電機器に操作指示を行うことができる、所謂、学習リモコンが知られている（例えば、特許文献３参照）。しかし、このリモコンには、ワンセグチューナや無線ＬＡＮ通信機能が設けられていないので、上記問題を解決できない。
【特許文献１】特開２００６−４１８２７号公報
【特許文献２】特開２００６−３３３１６３号公報
【特許文献３】特開２００４−２８９７２２号公報
【発明の開示】
【発明が解決しようとする課題】
【０００４】
本発明は、上述した問題点を解決するためになされたものであり、ユーザが端末を交換することなく、地上波デジタル放送の視聴と、無線ＬＡＮによるデータ通信と、外部装置に対する指示用の赤外線信号送信とを行うことができるようにして、ユーザによる操作の手間を軽減させることができる携帯情報端末を提供することを目的とする。
【課題を解決するための手段】
【０００５】
上記目的を達成するために請求項１の発明は、テレビジョン（以下、ＴＶという）番組を含む地上波デジタル放送を受信するデジタルチューナと、無線ＬＡＮによるデータ通信を行う無線ＬＡＮ通信手段と、外部装置に対して指示情報を含む赤外線信号を送信するための赤外線信号送信手段と、ユーザによって操作され、装置に指示を行うための操作手段と、前記ＴＶ番組の映像や各種メッセージ等を表示する表示手段と、前記赤外線信号によって操作される複数の外部機器のそれぞれに対して行われる操作の種類と各操作に対応した赤外線信号との対応関係を表す情報（操作情報）や、装置の各種動作モードの実行に必要なプログラムやデータが記憶された記憶手段と、装置各部を制御する制御手段とを備えた携帯情報端末において、前記動作モードには、前記デジタルチューナを用いて受信したＴＶ番組を前記表示手段に表示するＴＶ番組モードと、前記無線ＬＡＮ通信手段を用いて外部機器と通信を行う無線ＬＡＮ通信モードと、前記記憶手段に記憶された操作情報に基づき、前記赤外線送信手段を用いて外部機器に指示を行うリモコンモードとが含まれ、前記操作手段は、前記動作モードの切替えを指示するための切替ボタンを有し、ユーザにより前記切替ボタンが操作されると、前記制御手段が前記動作モードを選択的に切替えて動作するものである。
【０００６】
請求項２に記載の発明は、請求項１に記載の携帯情報端末において、前記表示手段に設けられ、ユーザによる操作を検出するタッチパネルをさらに備え、前記切替ボタンは、前記タッチパネルに設けられているものである。
【０００７】
請求項３に記載の発明は、請求項２に記載の携帯情報端末において、前記操作手段は、前記切替ボタンに加えて、装置に各種指示を行うための複数の操作ボタンをさらに有し、前記複数の操作ボタンは、前記タッチパネルに設けられ、前記制御手段は、前記動作モードに応じて、前記複数の操作ボタンのそれぞれの指示内容を変化させるものである。
【発明の効果】
【０００８】
請求項１の発明によれば、動作モードには、ＴＶ番組モードと、無線ＬＡＮ通信モードと、リモコンモードとが含まれ、ユーザにより切替ボタンが操作されると、制御手段が動作モードを選択的に切替えて動作する。そのため、従来のようにユーザが端末を交換することなく、地上波デジタル放送の視聴と、無線ＬＡＮによるデータ通信と、外部装置に対する指示用の赤外線信号送信とを行うことができるので、ユーザの手間を軽減させることができる。
【０００９】
請求項３の発明によれば、制御手段が、動作モードに応じて、複数の操作ボタンのそれぞれの指示内容を変化させるので、各動作モードに応じて必要な使用頻度の高い指示内容のボタンを表示することができる。そのため、ユーザにとって操作が容易である。
【発明を実施するための最良の形態】
【００１０】
以下、本発明の一実施形態に係るリモコン（携帯情報端末）ついて、図１及び図２を参照して説明する。図１は、リモコン１の外観を示し、図２は、リモコン１の内部構成を示すブロック図である、
【００１１】
リモコン１は、テレビジョン（以下、ＴＶという）番組を含む地上波デジタル放送を受信するワンセグチューナ（デジタルチューナ）１３と、ＴＶ番組の映像や各種メッセージ等を表示する表示装置（表示手段）１２と、ＴＶ番組の音声等を出力するスピーカ１９と、無線ＬＡＮによるデータ通信を行う無線ＬＡＮ送受信部（無線ＬＡＮ通信手段）１６と、外部装置に対して指示情報を含む赤外線信号を送信するための赤外線送信部（赤外線通信手段）１７とを備える。また、リモコン１は、各種データを復元するデコーダ１５と、各種情報を記憶するメモリ１４と、ユーザによって操作されるタッチパネル１８と、装置各部を制御する制御用マイコン１１とをさらに備える。
【００１２】
デコーダ１５は、ワンセグチューナ１３により受信されたＴＶ番組データや、無線ＬＡＮ送受信部１６により受信された画像データを復元して、復元したデータを表示装置１２やスピーカ１９に出力する。
【００１３】
表示装置１２は、デコーダ１５によって復元されたデータに基づき、ＴＶ番組や画像を表示する。また、表示装置１２は、複数の操作ボタンの画像や、各種メッセージ等を表示する。
【００１４】
スピーカ１９は、デコーダ１５によって復元されたデータに基づき、音声を出力する。
【００１５】
メモリ１４には、赤外線信号によって操作される複数の外部機器のそれぞれに対して行われる操作の種類と各操作に対応した赤外線信号との対応関係を表す情報（以下、操作情報という）と、装置の各種動作モードの実行に必要なプログラムやデータが記憶されている。
【００１６】
上記動作モードには、ワンセグチューナ１３を用いて受信したＴＶ番組を表示装置１２に表示するＴＶ番組モードと、無線ＬＡＮ送受信部１６を用いて外部機器と通信を行う無線ＬＡＮ通信モードと、メモリ１４に記憶された操作情報に基づき、赤外線送信部１７を用いて外部機器に指示を行うリモコンモードとが含まれる。また、メモリ１４には、装置の各種設定を行う設定モードとして、詳細設定モードが含まれている。制御用マイコン１１は、これらのモードを選択的に切替えて動作する。
【００１７】
タッチパネル１８は、透明であり、表示装置１２の表面に重なる形で形成されている。ユーザは、タッチパネル１８が透明であるため、表示装置１２に表示される操作ボタンの画像を視認することができる。ユーザがタッチパネル１８に触れると、タッチパネル１８は、ユーザによるタッチ位置の座標を制御用マイコン１１に送信する。そして、制御用マイコン１１が、ユーザによる操作指示の内容を判断し、指示内容に基づいて装置を制御する。
【００１８】
次に、表示装置１２上に表示される画面について、図３を参照して説明する。図３は、表示装置１２の画面の一例を示す。表示装置１２の画面には、ＴＶ番組や画像等を表示する表示領域２１と、操作ボタンであるＡボタン２２ａ〜Ｇボタン２２ｇと、動作モードの切替ボタン２３〜２５、設定モードの切替ボタン２６が表示されている。ここでは、ユーザがタッチパネル１８上の各ボタン２２ａ〜２２ｇに触れることを、「ユーザがボタンを操作する」という。
【００１９】
ユーザによりＴＶボタン２３が操作されると、制御用マイコン１１はＴＶ番組モードで動作し、ユーザにより学習リモコンボタン２４が操作されると、制御用マイコン１１はリモコンモードで動作する。また、ユーザによりネットワークボタン２５が操作されると、制御用マイコン１１は無線ＬＡＮ通信モードで動作し、ユーザにより詳細ボタン２６が操作されると、制御用マイコン１１は詳細設定モードで動作する。
【００２０】
Ａボタン２２ａ〜Ｇボタン２２ｇは、動作モードに応じて、それぞれの指示内容が変化する。例えば、Ａボタン２２ａは、ＴＶ番組モードのとき、ＴＶ番組のチャンネル変更を指示するためのボタンであり、学習リモコンモードのとき、ＤＶＤレコーダ等の録画再生機器に再生を指示するためのボタンである。また、Ａボタン２２ａは、無線通信モードのとき、動画データの再生を指示するためのボタンであり、詳細設定モードのとき、入力情報の決定を指示するためのボタンである。
【００２１】
また、表示装置２２には、動作モードに応じた、使用頻度の高い指示を行うためのボタンのみが、Ａボタン２２ａ〜Ｇボタン２２ｇとして表示される。例えば、ＴＶ番組モードのときには、Ａボタン２２ａ〜Ｄボタン２２ｄの４つの操作ボタンが表示される。このとき、Ａボタン２２ａとＢボタン２２ｂは、ＴＶ番組のチャンネルのアップ、ダウンを指示するための操作ボタンであり、Ｃボタン２２ｃとＤボタン２２ｄは、ＴＶ番組再生時の音量のアップ、ダウンを指示するための操作ボタンである。
【００２２】
次に、リモコン１を用いて操作可能な機器について、図４を参照して説明する。図４は、リモコン１によって操作可能な外部装置の説明図を示す。無線ＬＡＮルータ２は、無線ＬＡＮを介してリモコン１と通信可能であり、ＬＡＮケーブル４を介してネットワーク対応レコーダ３と接続されている。ネットワーク対応レコーダ３は、動画等のコンテンツデータを再生可能な機器であり、リモコン１から送信される赤外線信号によって操作可能である。
【００２３】
リモコン１は、無線ＬＡＮ通信モードのとき、無線ＬＡＮルータ２と通信可能であり、無線ＬＡＮルータ２からデータを受信することができる。リモコン１は、リモコンモードのとき、ネットワーク対応レコーダ３に動画再生や録画等の操作指示を行うことができる。
【００２４】
上記のように、本実施形態に係るリモコン１によれば、ワンセグチューナ１３と、無線ＬＡＮ送受信部１６と、赤外線送信部１７とを備え、動作モードには、ＴＶ番組モードと、無線ＬＡＮ通信モードと、リモコンモードとが含まれる。ユーザにより動作モードの切替ボタン２３〜２５が操作されると、制御用マイコン１１が動作モードを選択的に切替えて動作する。そのため、従来のようにユーザが携帯情報端末（リモコン１）を交換することなく、地上波デジタル放送の視聴と、無線ＬＡＮによるデータ通信と、外部装置に対する指示用の赤外線信号送信とを行うことができるので、ユーザの手間を軽減させることができる。
【００２５】
また、Ａボタン２２ａ〜Ｇボタン２２ｇは、動作モードに応じて、それぞれの指示内容が変化するので、各動作モードに応じて必要な使用頻度の高い指示内容のボタンを表示することができる。従って、ユーザにとって操作が容易である。
【００２６】
また、リモコン１においては、動作モードに応じた、使用頻度の高い指示を行うための操作ボタンのみが表示装置１２に表示されるので、ユーザが操作したい操作ボタンを見つける手間を軽減させることができ、ユーザにとって操作が容易になる。
【００２７】
なお、本発明は、上記実施形態の構成に限られず、発明の趣旨を変更しない範囲で種々の変形が可能である。例えば、リモコン１が、音声通信可能な電話機能を有し、動作モードに電話モードを含むものであってもよい。
【図面の簡単な説明】
【００２８】
【図１】本発明の一実施形態に係るリモコンの斜視図。
【図２】上記リモコンの内部構成を示すブロック図。
【図３】上記リモコンの表示装置の画面を示す説明図。
【図４】上記リモコンと通信可能な外部機器の概略を示す説明図。
【符号の説明】
【００２９】
１  リモコン（携帯情報端末）
１１  制御用マイコン（制御手段）
１２  表示装置（表示手段）
１３  ワンセグチューナ（デジタルチューナ）
１４  メモリ（記憶手段）
１６  無線ＬＡＮ送受信部（無線ＬＡＮ通信手段）
１７  赤外線送信部（赤外線送信手段）
１８  タッチパネル
【図１】
2008294911.tif 000003
【図２】
2008294911.tif 000004
【図３】
2008294911.tif 000005
【図４】
2008294911.tif 000006